(57)【要約】【課題】遠隔制御にかかる消費電力を低減すること。【解決手段】パーソナルコンピュータ部５２０に接続され、異なるネットワーク間で通信プロトコルの調整を行うゲートウェイカード５１０は、遠隔制御装置としてのリモートクライアント１００からの遠隔制御要求を受け付け、遠隔制御対象（例えば、録画装置３１０）に設定すべき遠隔制御データを入力させる。つぎに、ゲートウェイカード５１０は、遠隔制御要求に応じて、パーソナルコンピュータ部５２０の電力モードを省電力モードから通常電力モードへ復帰させ、パーソナルコンピュータ部５２０に対して、遠隔制御データを遠隔制御対象に設定し、該設定の完了後に、電力モードを通常電力モードから省電力モードへ移行させる。【選択図】　　　図１
2004112117.tif 000002
【特許請求の範囲】
【請求項１】
情報処理部に接続され、異なるネットワーク間でデータの受け渡しを行うゲートウェイカードであって、
遠隔制御装置からの遠隔制御要求を受け付け、該遠隔制御装置より遠隔制御対象に設定すべき遠隔制御データを入力させる受付手段と、
前記遠隔制御要求に応じて、前記情報処理部の電力モードを省電力モードから通常電力モードへ復帰させる復帰手段と、
前記情報処理部に対して、前記遠隔制御データを前記遠隔制御対象に設定するデータ設定手段と、
該設定の完了後に、前記電力モードを前記通常電力モードから前記省電力モードへ移行させる移行手段と、
を備えたことを特徴とするゲートウェイカード。
【請求項２】
前記設定の完了後に前記情報処理部から渡される完了メールを前記遠隔制御装置へ転送するメール転送手段を備えたこと、を特徴とする請求項１に記載のゲートウェイカード。
【請求項３】
前記データ設定手段は、前記遠隔制御データに基づいて、複数の遠隔制御対象の中から一つの遠隔制御対象を特定し、特定された遠隔制御対象に前記遠隔制御データを設定することを特徴とする請求項１または２に記載のゲートウェイカード。
【請求項４】
情報処理部に接続され、異なるネットワーク間でデータの受け渡しを行うゲートウェイカードに適用されるゲートウェイ制御方法であって、
遠隔制御装置からの遠隔制御要求を受け付け、該遠隔制御装置より遠隔制御対象に設定すべき遠隔制御データを入力させる受付工程と、
前記遠隔制御要求に応じて、前記情報処理部の電力モードを省電力モードから通常電力モードへ復帰させる復帰工程と、
前記情報処理部に対して、前記遠隔制御データを前記遠隔制御対象に設定するデータ設定工程と、
該設定の完了後に、前記電力モードを前記通常電力モードから前記省電力モードへ移行させる移行工程と、
を含むことを特徴とするゲートウェイ制御方法。
【請求項５】
情報処理部に接続され、異なるネットワーク間でデータの受け渡しを行うゲートウェイカードに適用されるゲートウェイ制御プログラムであって、
コンピュータを、
遠隔制御装置からの遠隔制御要求を受け付け、該遠隔制御装置より遠隔制御対象に設定すべき遠隔制御データを入力させる受付手段、
前記遠隔制御要求に応じて、前記情報処理部の電力モードを省電力モードから通常電力モードへ復帰させる復帰手段、
前記情報処理部に対して、前記遠隔制御データを前記遠隔制御対象に設定するデータ設定手段、
該設定の完了後に、前記電力モードを前記通常電力モードから前記省電力モードへ移行させる移行手段、
として機能させるためのゲートウェイ制御プログラム。
【請求項６】
情報処理部と、該情報処理部に接続され、異なるネットワーク間でデータの受け渡しを行うゲートウェイ部とを備えたゲートウェイ装置であって、
前記ゲートウェイ部は、
遠隔制御装置からの遠隔制御要求を受け付け、該遠隔制御装置より遠隔制御対象に設定すべき遠隔制御データを入力させる受付手段と、
前記遠隔制御要求に応じて、前記情報処理部の電力モードを省電力モードから通常電力モードへ復帰させるための復帰通知を出す復帰手段と、
前記情報処理部に対して、前記遠隔制御データを前記遠隔制御対象に設定するデータ設定手段と、
該設定の完了後に、前記電力モードを前記通常電力モードから前記省電力モードへ移行させるための移行通知を出す移行手段と、
を備え、
前記情報処理部は、
前記復帰通知に基づいて、前記電力モードを前記省電力モードから前記通常電力モードへ復帰させ、前記移行通知に基づいて、前記電力モードを前記通常電力モードから前記省電力モードへ移行させる電力制御手段、
を備えたことを特徴とするゲートウェイ装置。
【請求項７】
前記設定の完了後に前記情報処理部から渡される完了メールを前記遠隔制御装置へ転送するメール転送手段を備えたこと、を特徴とする請求項６に記載のゲートウェイ装置。
【請求項８】
前記データ設定手段は、前記遠隔制御データに基づいて、複数の遠隔制御対象の中から一つの遠隔制御対象を特定し、特定された遠隔制御対象に前記遠隔制御データを設定することを特徴とする請求項６または７に記載のゲートウェイ装置。
【請求項９】
情報処理部と、該情報処理部に接続され、異なるネットワーク間でデータの受け渡しを行うゲートウェイ部とを備えたゲートウェイ装置に適用されるゲートウェイ制御方法であって、
前記ゲートウェイ部では、
遠隔制御装置からの遠隔制御要求を受け付け、該遠隔制御装置より遠隔制御対象に設定すべき遠隔制御データを入力させる受付工程と、
前記遠隔制御要求に応じて、前記情報処理部の電力モードを省電力モードから通常電力モードへ復帰させるための復帰通知を出す復帰工程と、
前記情報処理部に対して、前記遠隔制御データを前記遠隔制御対象に設定するデータ設定工程と、
該設定の完了後に、前記電力モードを前記通常電力モードから前記省電力モードへ移行させるための移行通知を出す移行工程と、
が実行され、
前記情報処理部では、
前記復帰通知に基づいて、前記電力モードを前記省電力モードから前記通常電力モードへ復帰させ、前記移行通知に基づいて、前記電力モードを前記通常電力モードから前記省電力モードへ移行させる電力制御工程、
が実行されることを特徴とするゲートウェイ制御方法。
【請求項１０】
情報処理部と、該情報処理部に接続され、異なるネットワーク間でデータの受け渡しを行うゲートウェイ部とを備えたゲートウェイ装置に適用されるゲートウェイ制御プログラムであって、
コンピュータを、
遠隔制御装置からの遠隔制御要求を受け付け、該遠隔制御装置より遠隔制御対象に設定すべき遠隔制御データを入力させる受付手段、
前記遠隔制御要求に応じて、前記情報処理部の電力モードを省電力モードから通常電力モードへ復帰させるための復帰通知を出す復帰手段、
前記情報処理部に対して、前記遠隔制御データを前記遠隔制御対象に設定するデータ設定手段、
該設定の完了後に、前記電力モードを前記通常電力モードから前記省電力モードへ移行させるための移行通知を出す移行手段、
前記復帰通知に基づいて、前記電力モードを前記省電力モードから前記通常電力モードへ復帰させ、前記移行通知に基づいて、前記電力モードを前記通常電力モードから前記省電力モードへ移行させる電力制御手段、
として機能させるためのゲートウェイ制御プログラム。
【発明の詳細な説明】
【０００１】
【発明の属する技術分野】
本発明は、例えば、家庭に設置され、異なるネットワーク間の通信プロトコルを調整するためのゲートウェイカード、ゲートウェイ装置、ゲートウェイ制御方法およびゲートウェイ制御プログラムに関するものであり、特に、遠隔制御にかかる消費電力を低減することができるゲートウェイカード、ゲートウェイ装置、ゲートウェイ制御方法およびゲートウェイ制御プログラムに関するものである。
【０００２】
【従来の技術】
周知の通り、インターネットの普及に伴い、各家庭においても、パーソナルコンピュータだけでなく、テレビジョン、電話機等、さまざまな機器において、インターネットを利用できるインターネット接続機能を備えるようになっている。
【０００３】
しかしながら、ユーザがインターネット接続機能を備えた機器を新たに購入した場合、それぞれの機器においてインターネットが利用できる状態とするためには、各機器をインターネットに接続するためのアクセスポイントへの接続設定等が必要であり、これには手間がかかる。
【０００４】
また、これらの機器は、家庭内において通信回線の配線を行なう必要があり、これにも手間がかかるうえ、機器の台数が増えるほど配線も煩雑になるという問題がある。
【０００５】
このような問題を解決できるものとして、近年、ホームゲートウェイ等と称されるゲートウェイ装置が注目されている。このゲートウェイ装置は、各家庭に一台設置され、家庭内のネットワークとインターネット等の外部ネットワークとの間の通信プロトコルの違いを調整し、相互接続を可能とする装置である。
【０００６】
インターネットを利用できる各機器は、全てこのゲートウェイ装置に接続される。ゲートウェイ装置は、公衆電話回線網を介してインターネットに接続可能となっている。
【０００７】
このゲートウェイ装置でインターネットへの接続に関するシステムデータの設定を行なえば、ゲートウェイ装置に接続された各機器においては、個々にインターネットへの接続設定を行なうことなくインターネットを利用できるようになる。
【０００８】
このように、ゲートウェイ装置を設置することにより、インターネットへの接続設定等の手間が省けるとともに、家庭内における配線等を集約することができ、ユーザにとっては利便性が大幅に高くなる。その結果、インターネットを利用できるこれらの機器の普及にも拍車がかかると期待される。
【０００９】
また、従来においては、インターネットに遠隔制御装置を接続し、この遠隔制御装置からインターネットおよび上述したゲートウェイ装置を経由して、遠隔制御対象（例えば、録画装置）を遠隔制御する遠隔制御システムも提案されている。
【００１０】
【特許文献１】
特開２００２−７８０３６号公報
【特許文献２】
特開２００１−９５０６７号公報
【特許文献３】
特開２００２−７７２７４号公報
【特許文献４】
特開２００１−５３７７９号公報
【００１１】
【発明が解決しようとする課題】
ところで、従来においては、遠隔制御システムの一部としてゲートウェイ装置を家庭に設置する場合には、電気料金の節約の観点から、消費電力が問題となる。すなわち、信頼性に重きがおかれる企業向けのゲートウェイ装置と違って、家庭向けのゲートウェイ装置では、運用コストとしての電気料金を如何に安くできるかという点が、重要なファクタとなる。
【００１２】
本発明は、上記に鑑みてなされたもので、遠隔制御にかかる消費電力を低減することができるゲートウェイカード、ゲートウェイ装置、ゲートウェイ制御方法およびゲートウェイ制御プログラムを提供することを目的とする。
【００１３】
【課題を解決するための手段】
上記目的を達成するために、本発明は、情報処理部に接続され、異なるネットワーク間でデータの受け渡しを行うゲートウェイカードであって、遠隔制御装置からの遠隔制御要求を受け付け、該遠隔制御装置より遠隔制御対象に設定すべき遠隔制御データを入力させる受付手段と、前記遠隔制御要求に応じて、前記情報処理部の電力モードを省電力モードから通常電力モードへ復帰させる復帰手段と、前記情報処理部に対して、前記遠隔制御データを前記遠隔制御対象に設定するデータ設定手段と、該設定の完了後に、前記電力モードを前記通常電力モードから前記省電力モードへ移行させる移行手段と、を備えたことを特徴とする。
【００１４】
また、本発明は、情報処理部に接続され、異なるネットワーク間でデータの受け渡しを行うゲートウェイカードに適用されるゲートウェイ制御方法であって、遠隔制御装置からの遠隔制御要求を受け付け、該遠隔制御装置より遠隔制御対象に設定すべき遠隔制御データを入力させる受付工程と、前記遠隔制御要求に応じて、前記情報処理部の電力モードを省電力モードから通常電力モードへ復帰させる復帰工程と、前記情報処理部に対して、前記遠隔制御データを前記遠隔制御対象に設定するデータ設定工程と、該設定の完了後に、前記電力モードを前記通常電力モードから前記省電力モードへ移行させる移行工程と、を含むことを特徴とする。
【００１５】
また、本発明は、情報処理部に接続され、異なるネットワーク間でデータの受け渡しを行うゲートウェイカードに適用されるゲートウェイ制御プログラムであって、コンピュータを、遠隔制御装置からの遠隔制御要求を受け付け、該遠隔制御装置より遠隔制御対象に設定すべき遠隔制御データを入力させる受付手段、前記遠隔制御要求に応じて、前記情報処理部の電力モードを省電力モードから通常電力モードへ復帰させる復帰手段、前記情報処理部に対して、前記遠隔制御データを前記遠隔制御対象に設定するデータ設定手段、該設定の完了後に、前記電力モードを前記通常電力モードから前記省電力モードへ移行させる移行手段、として機能させるためのゲートウェイ制御プログラムである。
【００１６】
また、本発明は、情報処理部と、該情報処理部に接続され、異なるネットワーク間でデータの受け渡しを行うゲートウェイ部とを備えたゲートウェイ装置であって、前記ゲートウェイ部は、遠隔制御装置からの遠隔制御要求を受け付け、該遠隔制御装置より遠隔制御対象に設定すべき遠隔制御データを入力させる受付手段と、前記遠隔制御要求に応じて、前記情報処理部の電力モードを省電力モードから通常電力モードへ復帰させるための復帰通知を出す復帰手段と、前記情報処理部に対して、前記遠隔制御データを前記遠隔制御対象に設定するデータ設定手段と、該設定の完了後に、前記電力モードを前記通常電力モードから前記省電力モードへ移行させるための移行通知を出す移行手段と、を備え、前記情報処理部は、前記復帰通知に基づいて、前記電力モードを前記省電力モードから前記通常電力モードへ復帰させ、前記移行通知に基づいて、前記電力モードを前記通常電力モードから前記省電力モードへ移行させる電力制御手段、を備えたことを特徴とする。
【００１７】
また、本発明は、情報処理部と、該情報処理部に接続され、異なるネットワーク間でデータの受け渡しを行うゲートウェイ部とを備えたゲートウェイ装置に適用されるゲートウェイ制御方法であって、前記ゲートウェイ部では、遠隔制御装置からの遠隔制御要求を受け付け、該遠隔制御装置より遠隔制御対象に設定すべき遠隔制御データを入力させる受付工程と、前記遠隔制御要求に応じて、前記情報処理部の電力モードを省電力モードから通常電力モードへ復帰させるための復帰通知を出す復帰工程と、前記情報処理部に対して、前記遠隔制御データを前記遠隔制御対象に設定するデータ設定工程と、該設定の完了後に、前記電力モードを前記通常電力モードから前記省電力モードへ移行させるための移行通知を出す移行工程と、が実行され、前記情報処理部では、前記復帰通知に基づいて、前記電力モードを前記省電力モードから前記通常電力モードへ復帰させ、前記移行通知に基づいて、前記電力モードを前記通常電力モードから前記省電力モードへ移行させる電力制御工程、が実行されることを特徴とする。
【００１８】
また、本発明は、情報処理部と、該情報処理部に接続され、異なるネットワーク間でデータの受け渡しを行うゲートウェイ部とを備えたゲートウェイ装置に適用されるゲートウェイ制御プログラムであって、コンピュータを、遠隔制御装置からの遠隔制御要求を受け付け、該遠隔制御装置より遠隔制御対象に設定すべき遠隔制御データを入力させる受付手段、前記遠隔制御要求に応じて、前記情報処理部の電力モードを省電力モードから通常電力モードへ復帰させるための復帰通知を出す復帰手段、前記情報処理部に対して、前記遠隔制御データを前記遠隔制御対象に設定するデータ設定手段、該設定の完了後に、前記電力モードを前記通常電力モードから前記省電力モードへ移行させるための移行通知を出す移行手段、前記復帰通知に基づいて、前記電力モードを前記省電力モードから前記通常電力モードへ復帰させ、前記移行通知に基づいて、前記電力モードを前記通常電力モードから前記省電力モードへ移行させる電力制御手段、として機能させるためのゲートウェイ制御プログラムである。
【００１９】
かかる発明によれば、遠隔制御装置からの遠隔制御要求に応じて、情報処理部の電力モードを省電力モードから通常電力モードへ復帰させ、遠隔制御データを遠隔制御対象に設定し、該設定の完了後に、電力モードを通常電力モードから省電力モードへ移行させることとしたので、遠隔制御にかかる消費電力を低減することができる。
【００２０】
【発明の実施の形態】
以下、図面を参照して本発明にかかるゲートウェイカード、ゲートウェイ装置、ゲートウェイ制御方法およびゲートウェイ制御プログラムの一実施の形態について詳細に説明する。
【００２１】
図１は、本発明にかかる一実施の形態の構成を示すブロック図である。この図には、通信プロトコルや規格が異なるＷＡＮ（Ｗｉｄｅ　Ａｒｅａ　Ｎｅｔｗｒｏｋ）２００とＬＡＮ（Ｌｏｃａｌ　Ａｒｅａ　Ｎｅｔｗｏｒｋ）４００とがゲートウェイパーソナルコンピュータ５００を介して接続されてなり、リモートクライアント１００またはローカルクライアント３００により、遠隔制御対象の録画装置３１０または空調装置３２０が遠隔制御される遠隔制御システムが図示されている。
【００２２】
ＷＡＮ２００は、インターネット、公衆回線ネットワーク、無線通信ネットワーク、ＣＡＴＶ（ＣＡｂｌｅ　ＴｅｌｅＶｉｓｉｏｎ）ネットワーク等からなる広域ネットワークであり、所定の通信プロトコルに従って、遠隔地にあるコンピュータ同士を相互接続する。以下では、一例としてＷＡＮ２００をインターネットとして説明する。
【００２３】
リモートクライアント１００は、ＷＡＮ２００に接続されたコンピュータ（デスクトップ型パーソナルコンピュータ、ノート型パーソナルコンピュータ、ＰＤＡ（Ｐｅｒｓｏｎａｌ　Ｄｉｇｉｔａｌ　Ａｓｓｉｓｔａｎｔ）、携帯端末等）であり、後述する遠隔制御対象としての録画装置３１０および空調装置３２０を遠隔制御するための遠隔制御装置である。
【００２４】
リモートクライアント１００は、例えば、録画装置３１０に関して、テレビジョン番組等を録画予約するための録画予約設定を行ったり、また、空調装置３２０に関して、運転モード、温度および風量についての空調設定を遠隔で行う。
【００２５】
サーバ１００１　〜１００ｎ　は、メールサーバ、ＷＷＷ（Ｗｏｒｌｄ　Ｗｉｄｅ　Ｗｅｂ）サーバ等であり、ＷＡＮ２００に接続されている。これらのサーバ１００１　〜１００ｎ　は、ＷＡＮ２００、ゲートウェイパーソナルコンピュータ５００およびＬＡＮ４００を経由して、ローカルクライアント３００等にメールサービス、ＷＷＷサイトサービス等を提供する。
【００２６】
ローカルクライアント３００は、家庭に敷設されたＬＡＮ４００に接続されてたコンピュータ（デスクトップ型パーソナルコンピュータ、ノート型パーソナルコンピュータ等）であり、リモートクライアント１００と同様にして、遠隔制御対象としての録画装置３１０および空調装置３２０を遠隔制御するための遠隔制御装置である。
【００２７】
すなわち、一実施の形態では、リモートクライアント１００またはローカルクライアント３００により遠隔制御が可能とされている。
【００２８】
また、ローカルクライアント３００は、ＬＡＮ４００、ゲートウェイカード５１０およびＷＡＮ２００を経由して、サーバ１００１　〜１００ｎ　へアクセスし、上述した各種サービスの提供を受ける機能も備えている。
【００２９】
録画装置３１０は、ＬＡＮ４００に接続され、例えば、テレビジョン番組を録画するための装置であり、リモートクライアント１００またはローカルクライアント３００により、録画予約設定に関して遠隔制御される遠隔制御対象である。
【００３０】
空調装置３２０は、録画装置３１０と同様にして、ＬＡＮ４００に接続され、室内の空気調節を行うための装置であり、リモートクライアント１００またはローカルクライアント３００により、空調設定に関して遠隔制御される遠隔制御対象である。
【００３１】
ここで、ＷＡＮ２００およびＬＡＮ４００においては、異なる通信プロトコルがそれぞれ採用されている。
【００３２】
ゲートウェイパーソナルコンピュータ５００は、例えば、家庭に設置され、（ホーム）ゲートウェイとしての機能（例えば、ルータ機能、ブリッジ機能等）や遠隔制御機能を提供するための専用のパーソナルコンピュータであり、通信プロトコルが異なるＷＡＮ２００とＬＡＮ４００との間に介挿されている。遠隔制御機能は、遠隔制御対象（録画装置３１０および空調装置３２０）を遠隔制御する機能である。
【００３３】
ゲートウェイは、ＷＡＮ２００とＬＡＮ４００との間の通信プロトコルの違いを調整して相互接続を可能にするためのハードウェアやソフトウェアの総称である。
【００３４】
ゲートウェイパーソナルコンピュータ５００は、ゲートウェイカード５１０、パーソナルコンピュータ部５２０、電源ユニット５３０および共用ＨＤＤ（Ｈａｒｄ
Ｄｉｓｋ　Ｄｒｉｖｅ）５４０から構成されている。
【００３５】
ゲートウェイカード５１０は、パーソナルコンピュータ部５２０の挿入部５２１に着脱自在に挿入されるカード型のゲートウェイ装置であり、上述したゲートウェイの機能や遠隔制御機能を提供する。
【００３６】
パーソナルコンピュータ部５２０は、一般のパーソナルコンピュータとしての機能や遠隔制御機能を備えている。電源ユニット５３０は、ゲートウェイカード５１０およびパーソナルコンピュータ部５２０の各部へ電力を供給する。
【００３７】
共用ＨＤＤ５４０は、ゲートウェイカード５１０およびパーソナルコンピュータ部５２０で共用される大容量記憶装置であり、ゲートウェイカード５１０およびパーソナルコンピュータ部５２０でそれぞれ用いられるオペレーティングシステムや各種アプリケーションプログラムを記憶している。この共用ＨＤＤ５４０における切り替えは、後述する切替部５１７により実行される。
【００３８】
ここで、共用ＨＤＤ５４０に記憶されている各種アプリケーションプログラムのうち、パーソナルコンピュータ部５２０で用いられるアプリケーションプログラムとしては、常駐アプリケーションプログラム、電力制御プログラム、録画制御プログラム、空調制御プログラム、メール制御プログラムが挙げられる。
【００３９】
常駐アプリケーションプログラムは、後述する主制御部５２２の機能を実現するためのコンピュータプログラムである。電力制御プログラムは、電力制御部５２３の機能を実現するためのコンピュータプログラムである。
【００４０】
録画制御プログラムは、録画制御部５２４の機能を実現するためのコンピュータプログラムである。空調制御プログラムは、空調制御部５２５の機能を実現するためのコンピュータプログラムである。メール制御プログラムは、メール制御部５２６の機能を実現するためのコンピュータプログラムである。
【００４１】
ゲートウェイカード５１０において、ＷＡＮインタフェース部５１１は、ＷＡＮ２００に接続されており、ＷＡＮ２００との間の通信インタフェースをとる。ＬＡＮインタフェース部５１２は、ＬＡＮ４００に接続されており、ＬＡＮ４００との間の通信インタフェースをとる。
【００４２】
入出力インタフェース部５１３は、パーソナルコンピュータ部５２０の挿入部５２１に着脱自在に挿入され、パーソナルコンピュータ部５２０との間でインタフェースをとる。
【００４３】
通信プロトコル制御部５１４は、ＷＡＮ２００とＬＡＮ４００との間の通信プロトコルの違いを調整するための制御（通信プロトコルの解析等）を行い、相互接続を可能にする。
【００４４】
遠隔制御受付部５１５は、図５（ａ）〜図５（ｃ）に示した各種画面により、リモートクライアント１００（またはローカルクライアント３００）からの遠隔制御を受け付ける等の機能を備えている。
【００４５】
ここで、図５（ａ）に示したメニュー画面Ａは、遠隔制御対象（録画装置３１０、空調装置３２０）を選択するための画面である。図５（ｂ）に示した録画設定画面Ｂは、録画装置３１０に対応する遠隔制御データ（録画チャンネルおよび録画時間帯）を設定するための画面である。
【００４６】
図５（ｃ）に示した空調設定画面Ｃは、空調装置３２０に対応する遠隔制御データ（運転モード、風量および温度）を設定するための画面である。
【００４７】
図１に戻り、メモリ５１６は、バックアップ電源が不要で、記憶したデータを電気的に消去できる書き換え可能な読み出し専用メモリであり、フラッシュＥＰＲＯＭ（Ｅｒａｓａｂｌｅ　Ｐｒｏｇｒａｍｍａｂｌｅ　Ｒｅａｄ　Ｏｎｌｙ　Ｍｅｍｏｒｙ）等である。
【００４８】
このメモリ５１６には、システムデータ等が記憶されている。ゲートウェイカード５１０が、例えば、ルータの機能を提供する場合、システムデータは、ＩＰ（Ｉｎｔｅｒｎｅｔ　Ｐｒｏｔｏｃｏｌ）アドレス、ＤＨＣＰ（Ｄｙｎａｍｉｃ　Ｈｏｓｔ　Ｃｏｎｆｉｇｕｒａｔｉｏｎ　Ｐｒｏｔｏｃｏｌ）データ、回線データ、フィルタリングデータ、ファームウェア等である。
【００４９】
切替部５１７は、図２に示したように、スイッチ構成とされており、共用ＨＤＤ５４０をゲートウェイカード５１０側またはパーソナルコンピュータ部５２０側に切り替える機能を備えている。
【００５０】
切替部５１７がゲートウェイカード５１０側に切り替えられている場合、共用ＨＤＤ５４０は、ゲートウェイカード５１０からアクセス可能とされる。一方、切替部５１７がパーソナルコンピュータ部５２０側に切り替えられている場合、共用ＨＤＤ５４０は、パーソナルコンピュータ部５２０からアクセス可能とされる。
【００５１】
また、ゲートウェイカード５１０には、リモートクライアント１００やローカルクライアント３００から識別ができるようにアドレスが付与されている。
【００５２】
図１に戻り、パーソナルコンピュータ部５２０において、挿入部５２１には、ゲートウェイカード５１０の入出力インタフェース部５１３が挿入される。主制御部５２２は、パーソナルコンピュータ部５２０の各部を制御する。
【００５３】
電力制御部５２３は、電源ユニット５３０からの電力をパーソナルコンピュータ部５２０の各部へ供給する際に、通常電力モードまたは省電力モードに応じた制御を行う。
【００５４】
上記通常電力モードは、パーソナルコンピュータ部５２０の各部へ定格電力を供給する電力モードである。省電力モードは、パーソナルコンピュータ部５２０のうち必要最低限の各部へ定格電力よりも低い電力を供給し、消費電力を低減させる電力モードである。
【００５５】
また、省電力モードには、スタンバイモードおよび休止モードという二種類に大別される。スタンバイモードと休止モードとは、作業データを記憶させる場所が異なる。スタンバイモードは、作業データの記憶先がメモリ５２７であり、メモリ５２７に電力を供給し続ける必要がある。
【００５６】
一方、休止モードは、作業データを共用ＨＤＤ５４０に記憶して電源をオフにするので、スタンバイモードに比べて消費電力が非常に少ない。なお、以下では、省電力モードがスタンバイモードまたは休止モードであるとする。
【００５７】
電力制御部５２３は、移行要因が発生した場合に電力モードを通常電力モードから省電力モードへ移行させたり、復帰要因が発生した場合に省電力モードから通常電力モードへ復帰させるための制御を行う。
【００５８】
ここで、移行要因は、パーソナルコンピュータ部５２０で遠隔制御に関する動作が終了した場合等である。一方、復帰要因は、ゲートウェイカード５１０から復帰要求があった場合等である。
【００５９】
録画制御部５２４は、図５（ｂ）に示した録画設定画面Ｂで入力された遠隔制御データを録画装置３１０に設定する機能を備えている。空調制御部５２５は、図５（ｃ）に示した空調設定画面Ｃで入力された遠隔制御データを空調装置３２０に設定する機能を備えている。
【００６０】
メール制御部５２６は、録画制御部５２４または空調制御部５２５による遠隔制御データの設定が完了した旨を表す完了メールを作成した後、該完了メールをゲートウェイカード５１０に渡す機能を備えている。
【００６１】
メモリ５２７には、各種データが記憶される。入力／表示部５２８は、各種データの入力に用いられるキーボードやマウス、各種画面やデータを表示するＣＲＴ（Ｃａｔｈｏｄｅ　Ｒａｙ　Ｔｕｂｅ）やＬＣＤ（Ｌｉｑｕｉｄ　Ｃｒｙｓｔａｌ　Ｄｉｓｐｌａｙ）である。
【００６２】
つぎに、一実施の形態の動作について、図３および図４に示したシーケンス図を参照しつつ説明する。図３は、一実施の形態における電力モードの移行動作を説明するシーケンス図である。図４は、一実施の形態における遠隔制御動作を説明するシーケンス図である。
【００６３】
パーソナルコンピュータ部５２０の電力モードが通常電力モードとされた状態において、図３に示したステップＳＡ１で前述した電力モードの移行要因が発生すると、ステップＳＡ２では、パーソナルコンピュータ部５２０の主制御部５２２は、ゲートウェイカード５１０へ通常電力モードから省電力モードへの移行を通知する。
【００６４】
ステップＳＡ３では、ゲートウェイカード５１０の通信プロトコル制御部５１４は、上記移行の通知に対応して、パーソナルコンピュータ部５２０の主制御部５２２へ応答を通知する。
【００６５】
ステップＳＡ４では、主制御部５２２は、通常電力モードから省電力モードへの移行を電力制御部５２３へ指示する。ステップＳＡ５では、電力制御部５２３は、電力モードを通常電力モードから省電力モードへ移行させる。これにより、パーソナルコンピュータ部５２０の消費電力が低減される。
【００６６】
パーソナルコンピュータ部５２０の電力モードが省電力モードとされている状態において、図４に示したステップＳＢ１では、リモートクライアント１００（またはローカルクライアント３００）は、遠隔制御を実行するために、ＷＡＮ２００（またはＬＡＮ４００）を介して、ゲートウェイカード５１０にアクセスする。
【００６７】
ステップＳＢ２では、ゲートウェイカード５１０の遠隔制御受付部５１５は、図５（ａ）に示したメニュー画面Ａをリモートクライアント１００の表示部に表示させる。
【００６８】
ステップＳＢ３では、ユーザは、リモートクライアント１００を用いて、メニュー画面Ａより遠隔制御対象を選択した後、録画設定画面Ｂまたは空調設定画面Ｃより遠隔制御データを入力する。この場合には、遠隔制御対象として録画装置３１０が選択され、録画設定画面Ｂにより遠隔制御データが入力されたとする。
【００６９】
ステップＳＢ４では、遠隔制御受付部５１５は、入力された遠隔制御データ（図５（ｂ）参照）に関してプロトコル解析を行い、複数の遠隔制御対象の中から録画装置３１０を特定する。特定の方法としては、録画装置３１０、空調装置３２０のそれぞれにアドレスが付与されており、遠隔制御データにアドレスを含ませておく。そして、プロトコル解析により、アドレスに対応する遠隔制御対象が特定される。
【００７０】
ステップＳＢ５では、遠隔制御受付部５１５は、パーソナルコンピュータ部５２０の電力モードを省電力モードから通常電力モードへ復帰させるための復帰要求をパーソナルコンピュータ部５２０の電力制御部５２３へ通知する。
【００７１】
ステップＳＢ６では、電力制御部５２３は、電力モードを省電力モードから通常電力モードへ復帰させる。これにより、パーソナルコンピュータ部５２０の各部へ定格電力が供給され、パーソナルコンピュータ部５２０がウェイクアップする。
【００７２】
ステップＳＢ７では、電力制御部５２３は、ゲートウェイカード５１０へ復帰ステート（ｓｔａｔｅ）を通知する。ステップＳＢ８では、遠隔制御受付部５１５は、ステップＳＢ３で入力された遠隔制御データ（図５（ｂ）参照）を、ステップＳＢ４のプロトコル解析結果とともに、パーソナルコンピュータ部５２０の主制御部５２２に渡す。
【００７３】
ステップＳＢ９では、主制御部５２２は、遠隔制御データに基づき、遠隔制御対象（録画装置３１０）に対応する録画制御部５２４を起動した後、録画制御部５２４に遠隔制御データを渡す。なお、遠隔制御対象が空調装置３２０である場合には、主制御部５２２は、空調制御部５２５を起動した後、空調制御部５２５に遠隔制御データを渡す。
【００７４】
ステップＳＢ１０では、録画制御部５２４は、ゲートウェイカード５１０およびＬＡＮ４００を経由して、遠隔制御対象（この場合、録画装置３１０）にアクセスし、同一の遠隔制御データが設定されていないことをチェックする。なお、既に、同一の遠隔制御データが録画装置３１０に設定されている場合には、一連の遠隔制御動作が中断され、エラーとされる。
【００７５】
ステップＳＢ１１では、録画制御部５２４は、ゲートウェイカード５１０およびＬＡＮ４００を経由して、遠隔制御対象（この場合、録画装置３１０）にアクセスし、遠隔制御データ（図５（ｂ）参照）を設定する。これにより、録画装置３１０では、設定された遠隔制御データに基づいて、録画予約が完了する。
【００７６】
ステップＳＢ１２では、メール制御部５２６は、遠隔制御対象（この場合、録画装置３１０）への遠隔制御データの設定が完了したことを表す完了メールを作成する。ステップＳＢ１３では、メール制御部５２６は、作成した完了メールを挿入部５２１および入出力インタフェース部５１３を介して、ゲートウェイカード５１０に渡す。
【００７７】
これにより、ステップＳＢ１４では、ゲートウェイカード５１０の通信プロトコル制御部５１４は、ルータ機能により、ＷＡＮ２００を介して、完了メールをリモートクライアント１００へ転送する。
【００７８】
ステップＳＢ１５では、完了メールを転送後、遠隔制御受付部５１５は、通常電力モードから省電力モードへ移行させるための移行要因（アクセス終了）をパーソナルコンピュータ部５２０へ通知する。
【００７９】
これにより、図３に示したステップＳＡ１では、パーソナルコンピュータ部５２０での電力モードの移行要因が発生する。そして、前述したステップＳＡ２〜ステップＳＡ５の処理が実行され、パーソナルコンピュータ部５２０の電力モードが通常電力モードから省電力モードへ移行される。
【００８０】
以上説明したように、一実施の形態によれば、遠隔制御装置としてのリモートクライアント１００（またはローカルクライアント３００）からの遠隔制御要求に応じて、ゲートウェイカード５１０で、パーソナルコンピュータ部５２０の電力モードを省電力モードから通常電力モードへ復帰させ、遠隔制御データを遠隔制御対象（録画装置３１０または空調装置３２０）に設定し、該設定の完了後に、電力モードを通常電力モードから省電力モードへ移行させることとしたので、遠隔制御にかかる消費電力を低減することができる。
【００８１】
また、一実施の形態によれば、遠隔制御データの設定が完了した後にパーソナルコンピュータ部５２０より渡される完了メールをリモートクライアント１００（またはローカルクライアント３００）へ転送することとしたので、ユーザに設定完了を通知することができ、ユーザの利便性を高めることができる。
【００８２】
また、一実施の形態によれば、ゲートウェイカード５１０の遠隔制御受付部５１５で、遠隔制御データに基づいて、複数の遠隔制御対象（録画装置３１０、空調装置３２０）の中から一つの遠隔制御対象を特定し、特定された遠隔制御対象に遠隔制御データを設定することとしたので、複数の遠隔制御対象についての遠隔制御にかかる消費電力を低減することができる。
【００８３】
以上本発明にかかる一実施の形態について図面を参照して詳述してきたが、具体的な構成例はこの一実施の形態に限られるものではなく、本発明の要旨を逸脱しない範囲の設計変更等があっても本発明に含まれる。
【００８４】
例えば、前述した一実施の形態においては、ゲートウェイパーソナルコンピュータ５００（ゲートウェイカード５１０、パーソナルコンピュータ部５２０）の機能を実現するためのプログラムを図６に示したコンピュータ読み取り可能な記録媒体７００に記録して、この記録媒体７００に記録されたプログラムを同図に示したコンピュータ６００に読み込ませ、実行することにより各機能を実現してもよい。
【００８５】
同図に示したコンピュータ６００は、上記プログラムを実行するＣＰＵ（Ｃｅｎｔｒａｌ　Ｐｒｏｃｅｓｓｉｎｇ　Ｕｎｉｔ）６１０と、キーボード、マウス等の入力装置６２０と、各種データを記憶するＲＯＭ（Ｒｅａｄ　Ｏｎｌｙ　Ｍｅｍｏｒｙ）６３０と、演算パラメータ等を記憶するＲＡＭ（Ｒａｎｄｏｍ　Ａｃｃｅｓｓ　Ｍｅｍｏｒｙ）６４０と、記録媒体７００からプログラムを読み取る読取装置６５０と、ディスプレイ、プリンタ等の出力装置６６０と、装置各部を接続するバス６７０とから構成されている。
【００８６】
ＣＰＵ６１０は、読取装置６５０を経由して記録媒体７００に記録されているプログラムを読み込んだ後、プログラムを実行することにより、前述した機能を実現する。なお、記録媒体７００としては、光ディスク、フレキシブルディスク、ハードディスク等が挙げられる。
【００８７】
（付記１）情報処理部に接続され、異なるネットワーク間でデータの受け渡しを行うゲートウェイカードであって、
遠隔制御装置からの遠隔制御要求を受け付け、該遠隔制御装置より遠隔制御対象に設定すべき遠隔制御データを入力させる受付手段と、
前記遠隔制御要求に応じて、前記情報処理部の電力モードを省電力モードから通常電力モードへ復帰させる復帰手段と、
前記情報処理部に対して、前記遠隔制御データを前記遠隔制御対象に設定するデータ設定手段と、
該設定の完了後に、前記電力モードを前記通常電力モードから前記省電力モードへ移行させる移行手段と、
を備えたことを特徴とするゲートウェイカード。
【００８８】
（付記２）前記設定の完了後に前記情報処理部から渡される完了メールを前記遠隔制御装置へ転送するメール転送手段を備えたこと、を特徴とする付記１に記載のゲートウェイカード。
【００８９】
（付記３）前記データ設定手段は、前記遠隔制御データに基づいて、複数の遠隔制御対象の中から一つの遠隔制御対象を特定し、特定された遠隔制御対象に前記遠隔制御データを設定することを特徴とする付記１または２に記載のゲートウェイカード。
【００９０】
（付記４）情報処理部に接続され、異なるネットワーク間でデータの受け渡しを行うゲートウェイカードに適用されるゲートウェイ制御方法であって、
遠隔制御装置からの遠隔制御要求を受け付け、該遠隔制御装置より遠隔制御対象に設定すべき遠隔制御データを入力させる受付工程と、
前記遠隔制御要求に応じて、前記情報処理部の電力モードを省電力モードから通常電力モードへ復帰させる復帰工程と、
前記情報処理部に対して、前記遠隔制御データを前記遠隔制御対象に設定するデータ設定工程と、
該設定の完了後に、前記電力モードを前記通常電力モードから前記省電力モードへ移行させる移行工程と、
を含むことを特徴とするゲートウェイ制御方法。
【００９１】
（付記５）前記設定の完了後に前記情報処理部から渡される完了メールを前記遠隔制御装置へ転送するメール転送工程を含むこと、を特徴とする付記４に記載のゲートウェイ制御方法。
【００９２】
（付記６）前記データ設定工程では、前記遠隔制御データに基づいて、複数の遠隔制御対象の中から一つの遠隔制御対象を特定し、特定された遠隔制御対象に前記遠隔制御データを設定することを特徴とする付記４または５に記載のゲートウェイ制御方法。
【００９３】
（付記７）情報処理部に接続され、異なるネットワーク間でデータの受け渡しを行うゲートウェイカードに適用されるゲートウェイ制御プログラムであって、
コンピュータを、
遠隔制御装置からの遠隔制御要求を受け付け、該遠隔制御装置より遠隔制御対象に設定すべき遠隔制御データを入力させる受付手段、
前記遠隔制御要求に応じて、前記情報処理部の電力モードを省電力モードから通常電力モードへ復帰させる復帰手段、
前記情報処理部に対して、前記遠隔制御データを前記遠隔制御対象に設定するデータ設定手段、
該設定の完了後に、前記電力モードを前記通常電力モードから前記省電力モードへ移行させる移行手段、
として機能させるためのゲートウェイ制御プログラム。
【００９４】
（付記８）前記コンピュータを、前記設定の完了後に前記情報処理部から渡される完了メールを前記遠隔制御装置へ転送するメール転送手段として機能させること、を特徴とする付記７に記載のゲートウェイ制御プログラム。
【００９５】
（付記９）前記データ設定手段は、前記遠隔制御データに基づいて、複数の遠隔制御対象の中から一つの遠隔制御対象を特定し、特定された遠隔制御対象に前記遠隔制御データを設定することを特徴とする付記７または８に記載のゲートウェイ制御プログラム。
【００９６】
（付記１０）情報処理部と、該情報処理部に接続され、異なるネットワーク間でデータの受け渡しを行うゲートウェイ部とを備えたゲートウェイ装置であって、
前記ゲートウェイ部は、
遠隔制御装置からの遠隔制御要求を受け付け、該遠隔制御装置より遠隔制御対象に設定すべき遠隔制御データを入力させる受付手段と、
前記遠隔制御要求に応じて、前記情報処理部の電力モードを省電力モードから通常電力モードへ復帰させるための復帰通知を出す復帰手段と、
前記情報処理部に対して、前記遠隔制御データを前記遠隔制御対象に設定するデータ設定手段と、
該設定の完了後に、前記電力モードを前記通常電力モードから前記省電力モードへ移行させるための移行通知を出す移行手段と、
を備え、
前記情報処理部は、
前記復帰通知に基づいて、前記電力モードを前記省電力モードから前記通常電力モードへ復帰させ、前記移行通知に基づいて、前記電力モードを前記通常電力モードから前記省電力モードへ移行させる電力制御手段、
を備えたことを特徴とするゲートウェイ装置。
【００９７】
（付記１１）前記設定の完了後に前記情報処理部から渡される完了メールを前記遠隔制御装置へ転送するメール転送手段を備えたこと、を特徴とする付記１０に記載のゲートウェイ装置。
【００９８】
（付記１２）前記データ設定手段は、前記遠隔制御データに基づいて、複数の遠隔制御対象の中から一つの遠隔制御対象を特定し、特定された遠隔制御対象に前記遠隔制御データを設定することを特徴とする付記１０または１１に記載のゲートウェイ装置。
【００９９】
（付記１３）情報処理部と、該情報処理部に接続され、異なるネットワーク間でデータの受け渡しを行うゲートウェイ部とを備えたゲートウェイ装置に適用されるゲートウェイ制御方法であって、
前記ゲートウェイ部では、
遠隔制御装置からの遠隔制御要求を受け付け、該遠隔制御装置より遠隔制御対象に設定すべき遠隔制御データを入力させる受付工程と、
前記遠隔制御要求に応じて、前記情報処理部の電力モードを省電力モードから通常電力モードへ復帰させるための復帰通知を出す復帰工程と、
前記情報処理部に対して、前記遠隔制御データを前記遠隔制御対象に設定するデータ設定工程と、
該設定の完了後に、前記電力モードを前記通常電力モードから前記省電力モードへ移行させるための移行通知を出す移行工程と、
が実行され、
前記情報処理部では、
前記復帰通知に基づいて、前記電力モードを前記省電力モードから前記通常電力モードへ復帰させ、前記移行通知に基づいて、前記電力モードを前記通常電力モードから前記省電力モードへ移行させる電力制御工程、
が実行されることを特徴とするゲートウェイ制御方法。
【０１００】
（付記１４）前記設定の完了後に前記情報処理部から渡される完了メールを前記遠隔制御装置へ転送するメール転送工程を含むこと、を特徴とする付記１３に記載のゲートウェイ制御方法。
【０１０１】
（付記１５）前記データ設定工程では、前記遠隔制御データに基づいて、複数の遠隔制御対象の中から一つの遠隔制御対象を特定し、特定された遠隔制御対象に前記遠隔制御データを設定することを特徴とする付記１３または１４に記載のゲートウェイ制御方法。
【０１０２】
（付記１６）情報処理部と、該情報処理部に接続され、異なるネットワーク間でデータの受け渡しを行うゲートウェイ部とを備えたゲートウェイ装置に適用されるゲートウェイ制御プログラムであって、
コンピュータを、
遠隔制御装置からの遠隔制御要求を受け付け、該遠隔制御装置より遠隔制御対象に設定すべき遠隔制御データを入力させる受付手段、
前記遠隔制御要求に応じて、前記情報処理部の電力モードを省電力モードから通常電力モードへ復帰させるための復帰通知を出す復帰手段、
前記情報処理部に対して、前記遠隔制御データを前記遠隔制御対象に設定するデータ設定手段、
該設定の完了後に、前記電力モードを前記通常電力モードから前記省電力モードへ移行させるための移行通知を出す移行手段、
前記復帰通知に基づいて、前記電力モードを前記省電力モードから前記通常電力モードへ復帰させ、前記移行通知に基づいて、前記電力モードを前記通常電力モードから前記省電力モードへ移行させる電力制御手段、
として機能させるためのゲートウェイ制御プログラム。
【０１０３】
（付記１７）前記コンピュータを、前記設定の完了後に前記情報処理部から渡される完了メールを前記遠隔制御装置へ転送するメール転送手段として機能させること、を特徴とする付記１６に記載のゲートウェイ制御プログラム。
【０１０４】
（付記１８）前記データ設定手段は、前記遠隔制御データに基づいて、複数の遠隔制御対象の中から一つの遠隔制御対象を特定し、特定された遠隔制御対象に前記遠隔制御データを設定することを特徴とする付記１６または１７に記載のゲートウェイ制御プログラム。
【０１０５】
【発明の効果】
以上説明したように、本発明によれば、遠隔制御装置からの遠隔制御要求に応じて、情報処理部の電力モードを省電力モードから通常電力モードへ復帰させ、遠隔制御データを遠隔制御対象に設定し、該設定の完了後に、電力モードを通常電力モードから省電力モードへ移行させることとしたので、遠隔制御にかかる消費電力を低減することができるという効果を奏する。
【０１０６】
また、本発明によれば、設定の完了後に情報処理部より渡される完了メールを遠隔制御装置へ転送することとしたので、ユーザに設定完了を通知することができ、ユーザの利便性を高めることができるという効果を奏する。
【０１０７】
また、本発明によれば、遠隔制御データに基づいて、複数の遠隔制御対象の中から一つの遠隔制御対象を特定し、特定された遠隔制御対象に遠隔制御データを設定することとしたので、複数の遠隔制御対象についての遠隔制御にかかる消費電力を低減することができるという効果を奏する。
【図面の簡単な説明】
【図１】本発明にかかる一実施の形態の構成を示すブロック図である。
【図２】図１に示した切替部５１７の詳細構成を示すブロック図である。
【図３】同一実施の形態における電力モードの移行動作を説明するシーケンス図である。
【図４】同一実施の形態における遠隔制御動作を説明するシーケンス図である。
【図５】同一実施の形態における各種画面を示す図である。
【図６】同一実施の形態の変形例の構成を示すブロック図である。
【符号の説明】
１００　リモートクライアント
２００　ＷＡＮ
３００　　ローカルクライアント
３１０　録画装置
３２０　空調装置
４００　ＬＡＮ
５００　ゲートウェイパーソナルコンピュータ
５１０　ゲートウェイカード
５１１　ＷＡＮインタフェース部
５１２　ＬＡＮインタフェース部
５１４　通信プロトコル制御部
５１５　遠隔制御受付部
５２０　パーソナルコンピュータ部
５２２　主制御部
５２３　電力制御部
５２４　録画制御部
５２５　空調制御部
５２６　メール制御部
５３０　電源ユニット
【図１】
2004112117.tif 000003
【図２】
2004112117.tif 000004
【図３】
2004112117.tif 000005
【図４】
2004112117.tif 000006
【図５】
2004112117.tif 000007
【図６】
2004112117.tif 000008